(57)【要約】【課題】噛み合い式の係合装置を解放することに伴うショックや、解放時間のバラツキを抑制することができる車両の制御装置を提供する。【解決手段】噛み合い式係合機構を係合状態から解放状態に切り替える要求がある場合に、噛み合い式係合機構が負担するトルクを連続的に低減させる（ステップＳ２）とともに、入力側噛み合い歯と出力側噛み合い歯との噛み合いを解消する所定荷重を作用させ（ステップＳ３）、入力側噛み合い歯と出力側噛み合い歯との噛み合い量が減少したことを条件に、トルク制御部による噛み合い式係合機構が負担するトルクの低減を停止する（ステップＳ５）ように構成されている。【選択図】図４
2020056485.tif 000002
【特許請求の範囲】
【請求項１】
入力側噛み合い歯と、出力側噛み合い歯とを選択的に噛み合わせることによりトルクを伝達する噛み合い式係合機構と、前記入力側噛み合い歯と前記出力側噛み合い歯との噛み合いを解消する荷重を制御可能なアクチュエータと、前記噛み合い式係合機構が負担するトルクを低減可能なトルク制御部とを備えた車両の制御装置において、
前記噛み合い式係合機構を係合状態から解放状態に切り替える要求がある場合に、前記トルク制御部により前記噛み合い式係合機構が負担するトルクを連続的に低減させるとともに、前記アクチュエータにより前記入力側噛み合い歯と前記出力側噛み合い歯との噛み合いを解消する荷重を所定荷重に制御し、
前記入力側噛み合い歯と前記出力側噛み合い歯との噛み合い量が減少したことを条件に、前記トルク制御部による前記噛み合い式係合機構が負担するトルクの低減を停止する低減停止制御と、前記アクチュエータにより前記入力側噛み合い歯と前記出力側噛み合い歯との噛み合いを解消する荷重を前記所定荷重よりも増大させる抜き力増大制御との少なくともいずれか一方を実行するように構成されている
ことを特徴とする車両の制御装置。
【発明の詳細な説明】
【技術分野】
【０００１】
この発明は、噛み合い式の係合機構を係合または解放させることにより駆動力源から駆動輪に伝達されるトルクを変更可能な車両の制御装置に関するものである。
【背景技術】
【０００２】
特許文献１には、エンジンと駆動輪とのトルクの伝達経路に、ハイ側変速機構とロー側変速機構とを介してモータが連結されたハイブリッド車両の変速制御装置が記載されている。この変速制御装置は、ハイ側変速機構に設けられた摩擦クラッチと、ロー側変速機構に設けられた噛み合いクラッチとの係合状態を制御することにより、いずれの変速機構を介してトルクを伝達するかを切り替えるように構成されている。そして、ロー側変速機構を介してトルクを伝達している状態から、ハイ側変速機構を介してトルクを伝達する状態への変速時には、まず、摩擦クラッチの伝達トルク容量を比例的に増大させることにより、噛み合いクラッチに作用するトルクを低減させて、噛み合いクラッチの噛み合い面に作用する摩擦力を低下させる。また、変速開始から設定時間が経過した時点で、噛み合いクラッチを解放するための抜き力を所定値まで増大させる。この設定時間は、噛み合いクラッチが解放した時点におけるショックが生じない程度まで噛み合いクラッチに作用するトルクが低下すると推定される変速経過時間から所定時間を減算した時間に設定されている。このように摩擦クラッチの伝達トルク容量と噛み合いクラッチを解放するための抜き力とを制御することにより、摩擦クラッチの伝達トルク容量の増大に伴って、噛み合いクラッチに作用するトルクが低下し、その低下したトルクに基づく噛み合い面での摩擦力と、増大させた抜き力とが釣り合った時点で、噛み合いクラッチが解放される。
【先行技術文献】
【特許文献】
【０００３】
【特許文献１】特開２０１３−２５７７号公報
【発明の概要】
【発明が解決しようとする課題】
【０００４】
特許文献１に記載された変速制御装置は、変速開始から摩擦クラッチの伝達トルク容量を比例的に変化させることにより、噛み合いクラッチに作用するトルクが、抜き力で解放可能なトルク程度まで低下した時に、そのタイミングで噛み合いクラッチを解放できる。しかしながら、制動力や車両重量、あるいは路面の勾配角度などの種々の要件によって摩擦クラッチや噛み合いクラッチに作用するトルクの大きさが変動することや、噛み合いクラッチの噛み合い長さが異なっていることなどを要因として、噛み合いクラッチが解放されるまでの時間が変動する場合や、噛み合いクラッチを解放する時点における噛み合いクラッチに作用するトルクに応じてショックの大きさが変動する可能性がある。すなわち、噛み合いクラッチを安定して解放することができない可能性がある。
【０００５】
この発明は上記の技術的課題に着目してなされたものであって、噛み合い式の係合装置を解放することに伴うショックや、解放時間のバラツキを抑制することができる車両の制御装置を提供することを目的とするものである。
【課題を解決するための手段】
【０００６】
上記の目的を達成するために、この発明は、入力側噛み合い歯と、出力側噛み合い歯とを選択的に噛み合わせることによりトルクを伝達する噛み合い式係合機構と、前記入力側噛み合い歯と前記出力側噛み合い歯との噛み合いを解消する荷重を制御可能なアクチュエータと、前記噛み合い式係合機構が負担するトルクを低減可能なトルク制御部とを備えた車両の制御装置において、前記噛み合い式係合機構を係合状態から解放状態に切り替える要求がある場合に、前記トルク制御部により前記噛み合い式係合機構が負担するトルクを連続的に低減させるとともに、前記アクチュエータにより前記入力側噛み合い歯と前記出力側噛み合い歯との噛み合いを解消する荷重を所定荷重に制御し、前記入力側噛み合い歯と前記出力側噛み合い歯との噛み合い量が減少したことを条件に、前記トルク制御部による前記噛み合い式係合機構が負担するトルクの低減を停止する低減停止制御と、前記アクチュエータにより前記入力側噛み合い歯と前記出力側噛み合い歯との噛み合いを解消する荷重を前記所定荷重よりも増大させる抜き力増大制御との少なくともいずれか一方を実行するように構成されていることを特徴とするものである。
【発明の効果】
【０００７】
この発明においては、噛み合い式係合機構を解放する場合には、トルク制御部により噛み合い式係合機構が負担するトルクを連続的に低減させるとともに、アクチュエータにより入力側噛み合い歯と出力側噛み合い歯との噛み合いを解消する荷重を所定荷重に制御し、入力側噛み合い歯と出力側噛み合い歯との噛み合い量が減少したことを条件に、トルク制御部による噛み合い式係合機構が負担するトルクの低減を停止する低減停止制御と、アクチュエータにより入力側噛み合い歯と出力側噛み合い歯との噛み合いを解消する荷重を所定荷重よりも増大させる抜き力増大制御との少なくともいずれか一方を実行するように構成されている。そのため、噛み合い式係合機構に作用するトルクの変動が少ない状態で、噛み合い式係合機構を解放することができる。その結果、噛み合い式係合機構が解放するまでの時間のバラツキや、噛み合い式係合機構が解放することに伴うショックのバラツキを抑制できる。
【図面の簡単な説明】
【０００８】
【図１】この発明の実施形態におけるハイブリッド車両の一例を説明するためのスケルトン図である。
【図２】直結モードが設定されている際における各噛み合い歯の噛み合い状態を説明するための模式図である。
【図３】第２クラッチ機構が負担するトルクを低減する際における各噛み合い歯の噛み合い状態を説明するための模式図である。
【図４】この発明の実施形態における制御装置で実行される制御の一例を説明するためのフローチャートである。
【図５】図４に示す制御例を実行した場合における第２クラッチ機構に作用するトルク、抜き力、噛み合い長さの変化を説明するためのタイムチャートである。
【図６】この発明の実施形態における制御装置で実行される制御の他の例を説明するためのフローチャートである。
【図７】図６に示す制御例を実行した場合における第２クラッチ機構に作用するトルク、抜き力、噛み合い長さの変化を説明するためのタイムチャートである。
【図８】噛み合い式係合機構を解放させ始める時点で噛み合い長さを調整する制御例を説明するためのフローチャートである。
【図９】図８に示す制御例を実行した場合における第２クラッチ機構に作用するトルク、抜き力、噛み合い長さの変化を説明するためのタイムチャートである。
【発明を実施するための形態】
【０００９】
この発明の実施形態における車両の一例を図１を参照して説明する。図１に示す車両は、いわゆるハイブリッド車両１であって、エンジン２と二つのモータ３，４とを駆動力源として備えた２モータタイプの駆動装置５を備えている。第１モータ３は、発電機能のあるモータ（すなわちモータ・ジェネレータ：ＭＧ１）によって構成されている。この第１モータ３によって、エンジン２の回転数を制御するとともに、第１モータ３で発電された電力を第２モータ４に供給し、その第２モータ４が出力する駆動トルクを走行のための駆動トルクに加えることができるように構成されている。なお、第２モータ４は発電機能のあるモータ（すなわちモータ・ジェネレータ：ＭＧ２）によって構成することができる。
【００１０】
エンジン２には、動力分割機構６が連結されている。この動力分割機構６は、エンジン２から出力されたトルクを第１モータ３側と出力側とに分割する機能を有する分割部７と、そのトルクの分割率を変更する機能を有する変速部８とにより構成されている。
【００１１】
分割部７は、三つの回転要素によって差動作用を行う構成であればよく、遊星歯車機構を採用することができる。図１に示す例では、シングルピニオン型の遊星歯車機構によって構成されている。図１に示す分割部７は、サンギヤ９と、サンギヤ９に対して同心円上に配置された、内歯歯車であるリングギヤ１０と、これらサンギヤ９とリングギヤ１０との間に配置されてサンギヤ９とリングギヤ１０とに噛み合っているピニオンギヤ１１と、ピニオンギヤ１１を自転および公転可能に保持するキャリヤ１２とにより構成されている。そのサンギヤ９が主に反力要素として機能し、リングギヤ１０が主に出力要素として機能し、キャリヤ１２が主に入力要素として機能する。
【００１２】
エンジン２が出力した動力が前記キャリヤ１２に入力されるように構成されている。具体的には、エンジン２の出力軸１３に、動力分割機構６の入力軸１４が連結され、その入力軸１４がキャリヤ１２に連結されている。なお、キャリヤ１２と入力軸１４とを直接連結する構成に替えて、歯車機構などの伝動機構を介してキャリヤ１２と入力軸１４とを連結してもよい。また、その出力軸１３と入力軸１４との間にダンパ機構やトルクコンバータなどの機構を配置してもよい。
【００１３】
サンギヤ９に第１モータ３が連結されている。図１に示す例では、分割部７および第１モータ３は、エンジン２の回転中心軸線と同一の軸線上に配置され、第１モータ３は分割部７を挟んでエンジン２とは反対側に配置されている。この分割部７とエンジン２との間で、これら分割部７およびエンジン２と同一の軸線上に、その軸線の方向に並んで変速部８が配置されている。
【００１４】
変速部８は、シングルピニオン型の遊星歯車機構によって構成されており、サンギヤ１５と、サンギヤ１５に対して同心円上に配置された内歯歯車であるリングギヤ１６と、これらサンギヤ１５とリングギヤ１６との間に配置されてこれらサンギヤ１５およびリングギヤ１６に噛み合っているピニオンギヤ１７と、ピニオンギヤ１７を自転および公転可能に保持しているキャリヤ１８とを有し、サンギヤ１５、リングギヤ１６、およびキャリヤ１８の三つの回転要素によって差動作用を行う差動機構である。この変速部８におけるサンギヤ１５に分割部７におけるリングギヤ１０が連結されている。また、変速部８におけるリングギヤ１６に、出力ギヤ１９が連結されている。
【００１５】
上記の分割部７と変速部８とが複合遊星歯車機構を構成するように噛み合い式の第１クラッチ機構CL1が設けられている。第１クラッチ機構CL1は、一対の回転要素を選択的に連結するように構成されており、図１に示す例では、変速部８におけるキャリヤ１８を、分割部７におけるキャリヤ１２に選択的に連結するように構成されている。この第１クラッチ機構CL1を係合させることにより分割部７におけるキャリヤ１２と変速部８におけるキャリヤ１８とが連結されてこれらが入力要素となり、また分割部７におけるサンギヤ９が反力要素となり、さらに変速部８におけるリングギヤ１６が出力要素となった複合遊星歯車機構が形成される。
【００１６】
さらに、変速部８の全体を一体化させるための噛み合い式の第２クラッチ機構CL2が設けられている。この第２クラッチ機構CL2は、変速部８におけるキャリヤ１８とリングギヤ１６もしくはサンギヤ１５とを、あるいはサンギヤ１５とリングギヤ１６とを連結するなどの少なくともいずれか二つの回転要素を連結するためのものである。すなわち、第２クラッチ機構CL2は、第１クラッチ機構CL1により連結される一対の回転要素とは異なる他の一対の回転要素を連結するものであり、図１に示す例では、第２クラッチ機構CL2は、変速部８におけるキャリヤ１８とリングギヤ１６とを連結するように構成されている。
【００１７】
そして、第１クラッチ機構CL1および第２クラッチ機構CL2は、エンジン２および分割部７ならびに変速部８と同一の軸線上に配置され、かつ変速部８を挟んで分割部７とは反対側に配置されている。なお、各クラッチ機構CL1，CL2同士は、図１に示すように、半径方向で内周側と外周側とに並んだ状態に配置されていてもよく、あるいは軸線方向に並んで配置されていてもよい。
【００１８】
上記のエンジン２や分割部７あるいは変速部８の回転中心軸線と平行にカウンタシャフト２０が配置されている。前記出力ギヤ１９に噛み合っているドリブンギヤ２１がこのカウンタシャフト２０に取り付けられている。また、カウンタシャフト２０にはドライブギヤ２２が取り付けられており、このドライブギヤ２２が終減速機であるデファレンシャルギヤユニット２３におけるリングギヤ２４に噛み合っている。さらに、前記ドリブンギヤ２１には、第２モータ４におけるロータシャフト２５に取り付けられたドライブギヤ２６が噛み合っている。したがって、前記出力ギヤ１９から出力された動力もしくはトルクに、第２モータ４が出力した動力もしくはトルクを、上記のドリブンギヤ２１の部分で加えるように構成されている。このようにして合成された動力もしくはトルクをデファレンシャルギヤユニット２３から左右のドライブシャフト２７に出力し、その動力やトルクが前輪２８Ｒ，２８Ｌに伝達されるように構成されている。
【００１９】
図１に示す例では、第１モータ３から出力された駆動トルクを、前輪２８Ｒ，２８Ｌに伝達するために、出力軸１３または入力軸１４を選択的に固定できる摩擦式あるいは噛み合い式のブレーキ機構B1が設けられている。すなわち、ブレーキ機構B1を係合して出力軸１３または入力軸１４を固定することにより、分割部７におけるキャリヤ１２や、変速部８におけるキャリヤ１８を反力要素として機能させ、分割部７におけるサンギヤ９を入力要素として機能させることができるように構成されている。なお、ブレーキ機構B1は、第１モータ３が駆動トルクを出力した場合に、反力トルクを発生させることができればよく、出力軸１３または入力軸１４を完全に固定する構成に限らず、要求される反力トルクを出力軸１３または入力軸１４に作用させることができればよい。または、出力軸１３や入力軸１４が、エンジン２の駆動時に回転する方向とは逆方向に回転することを禁止するワンウェイクラッチをブレーキ機構B1として設けてもよい。
【００２０】
上記のエンジン２、各モータ３，４、各クラッチ機構CL1，CL2、およびブレーキ機構B1を制御するための電子制御装置（ECU）２９が設けられている。このECU２９は、マイクロコンピュータを主体にして構成され、ハイブリッド車両１に搭載された種々のセンサからデータが入力され、その入力されたデータと、予め記憶されているマップや演算式などとに基づいて、エンジン２、各モータ３，４、各クラッチ機構CL1，CL2、およびブレーキ機構B1に指令信号を出力するように構成されている。そのECU２９に入力される信号は、例えば、車速、アクセル開度、第１モータ(MG1)３の回転数、第２モータ(MG2)４の回転数、エンジン２の出力軸１３の回転数（エンジン回転数）、変速部８におけるリングギヤ１６またはカウンタシャフト２０の回転数である出力回転数、各クラッチ機構CL1，CL2やブレーキ機構B1に設けられたピストンのストローク量、図示しない蓄電装置の温度、各モータ３，４を制御するためのインバータなどの電力制御装置の温度、第１モータ３の温度、第２モータ４の温度、分割部７や変速部８などを潤滑するオイル（ＡＴＦ）の温度、蓄電装置の充電残量（以下、ＳＯＣと記す）などである。
【００２１】
上記のECU２９は、要求される駆動力や車速、あるいはＳＯＣなどの種々の条件に応じてエンジン２から駆動トルクを出力して走行するＨＶ走行モードと、エンジン２から駆動トルクを出力することなく、第１モータ３や第２モータ４から駆動トルクを出力して走行するＥＶ走行モードとを選択的に設定する。さらに、ＨＶ走行モードは、第１モータ３を低回転数で回転させた場合（「０」回転を含む）に、変速部８におけるリングギヤ１６の回転数よりもエンジン２（または入力軸１４）の回転数が高回転数となるHV-Loモードと、変速部８におけるリングギヤ１６の回転数よりもエンジン２（または入力軸１４）の回転数が低回転数となるHV-Hiモードと、変速部８におけるリングギヤ１６の回転数とエンジン２（または入力軸１４）の回転数が同一である直結モードとを選択的に設定する。
【００２２】
なお、ＥＶ走行モードは、第１モータ３から出力されたトルクの増幅率が比較的大きいEV-Loモードと、第１モータ３から出力されたトルクの増幅率が比較的小さいEV-Hiモードと、第２モータ４のみから駆動トルクを出力するシングルモードとを設定することができる。上記のEV-Loモードは、第１クラッチ機構CL1およびブレーキ機構B1を係合することにより設定され、EV-Hiモードは、第２クラッチ機構CL2およびブレーキ機構B1を係合することにより設定され、シングルモードは、各クラッチ機構CL1，CL2およびブレーキ機構B1を解放することにより設定される。
【００２３】
上記のHV-Loモードは、第１クラッチ機構CL1のみを係合することにより設定される走行モードであり、エンジン２から出力されたトルクを前輪２８Ｒ，２８Ｌに伝達するために、第１モータ３から反力トルクを発生させる。その場合、第１モータ３が発電機として機能するときには、第１モータ３により発電された電力が、第２モータ４に供給されて、エンジン２から動力分割機構６を介して伝達されたトルクに、ドリブンギヤ２１の部分で第２モータ４から出力されたトルクが加算される。
【００２４】
また、HV-Hiモードは、第２クラッチ機構CL2のみを係合することにより設定される走行モードであり、HV-Loモードと同様に、エンジン２から出力されたトルクを前輪２８Ｒ，２８Ｌに伝達するために、第１モータ３から反力トルクを発生させる。その場合、第１モータ３が発電機として機能するときには、第１モータ３により発電された電力が、第２モータ４に供給されて、エンジン２から動力分割機構６を介して伝達されたトルクに、ドリブンギヤ２１の部分で第２モータ４から出力されたトルクが加算される。
【００２５】
さらに、直結モードは、第１クラッチ機構CL1および第２クラッチ機構CL2を係合することにより設定される走行モードであり、動力分割機構６を構成する各回転要素が一体に回転する。すなわち、HV-LoモードやHV-Hiモードと異なり、第１モータ３から反力トルクを発生させることなく、エンジン２から前輪２８Ｒ，２８Ｌにトルクが伝達される。なお、直結モードでは、第１モータ３から駆動トルクを出力することにより、動力分割機構６を介して伝達されるトルクを増大させることができ、または第１モータ３から回生トルクを出力することにより、動力分割機構６を介して伝達されるトルクを低減させることができる。
【００２６】
上述した第１クラッチ機構CL1および第２クラッチ機構CL2の構成を説明するための模式図を図２に示している。図２に示す例では、入力軸１４やキャリヤ１２と一体となって回転するように構成された第１回転部材３０と、キャリヤ１８と一体となって回転するように構成された第２回転部材３１とにより第１クラッチ機構CL1が構成されており、第２回転部材３１と、リングギヤ１６や出力ギヤ１９と一体となって回転するように構成された第３回転部材３２とにより第２クラッチ機構CL2が構成されている。
【００２７】
第１回転部材３０における第２回転部材３１に対向した面には、第１回転部材３０の回転方向（図における左右方向）に所定の間隔を空けて複数の噛み合い歯（以下、第１噛み合い歯と記す）３０ａが形成されている。同様に、第２回転部材３１における第１回転部材３０に対向した面には、第１噛み合い歯３０ａに噛み合うように、第２回転部材３１の回転方向に所定の間隔を空けて複数の噛み合い歯（以下、第２噛み合い歯と記す）３１ａが形成されている。さらに、第３回転部材３２における第２回転部材３１に対向した面には、第３回転部材３２の回転方向（図における左右方向）に所定の間隔を空けて複数の噛み合い歯３２ａが形成されている。同様に、第２回転部材３１における第３回転部材３２に対向した面には、第３回転部材３２に形成された複数の噛み合い歯３２ａに噛み合うように、第２回転部材３１の回転方向に所定の間隔を空けて複数の噛み合い歯３１ｂが形成されている。
【００２８】
また、図２に示す例では、第１回転部材３０を第２回転部材３１側に押圧する荷重と、第２回転部材３１から離隔する荷重とを発生可能な第１アクチュエータ３３が、第１回転部材３０に連結され、同様に第３回転部材３２を第２回転部材３１側に押圧する荷重と、第２回転部材３１から離隔する荷重とを発生可能な第２アクチュエータ３４が、第３回転部材３２に連結されている。なお、これらのアクチュエータ３３，３４は、電磁アクチュエータであってもよく、油圧アクチュエータであってもよい。
【００２９】
図２に示す例では、第１クラッチ機構CL1および第２クラッチ機構CL2が係合した直結モードを設定している状態を示してある。このように各クラッチ機構CL1，CL2を係合した状態からいずれか一方のクラッチ機構CL2（CL1）を解放させて、HV-HiモードやHV-Loモードを設定する場合には、その解放するクラッチ機構CL2（CL1）に作用するトルクを低下させるとともに、第１回転部材３０または第３回転部材３２を第２回転部材３１から離隔させる方向の荷重を、第１回転部材３０または第３回転部材３２に作用させる。
【００３０】
図３は、第２クラッチ機構CL2を解放する直前の状態を示しており、図３に示す例では、第１噛み合い歯３０ａにおける回転方向に向いた側面と、その側面に対向した第２噛み合い歯３１ａの側面とを接触させるとともに、その接触面に作用する荷重を増大させる。つまり、第１クラッチ機構CL1が負担するトルクを増大させる。これは、第１モータ３のトルクを制御することにより実行できる。そのように第１クラッチ機構CL1が負担するトルクを増大させることに伴って、第２クラッチ機構CL2が負担するトルクが減少するため、第２クラッチ機構CL2における噛み合い歯同士の接触面に作用する摩擦力を低減できる。そのように摩擦力を低減した状態で、第３回転部材３２を第２回転部材３１から離隔させる方向に第２アクチュエータ３４から荷重を作用させることにより、第３回転部材３２が第２回転部材３１から離隔して、第２クラッチ機構CL2を解放させる。
【００３１】
この発明の実施形態における制御装置は、上述したように噛み合い式のクラッチ機構を解放させる際に、そのクラッチ機構を解放することに伴うショックや、その解放時間のバラツキを抑制するように構成されている。その制御の一例を図４に示している。図４に示す例では、まず、走行モードの切り替え要求があるか否かを判断する（ステップＳ１）。より具体的には、現時点で係合しているクラッチ機構の解放を伴う走行モードの切り替え要求があるか否かを判断する。このステップＳ１は、例えば、車速と要求駆動力とに応じて設定するべき走行モードを定めたマップをECU２９に予め記憶しておき、そのマップと、車速センサやアクセル開度センサによって検出された信号とに基づいて判断することができる。
【００３２】
走行モードの切り替え要求がないことによりステップＳ１で否定的に判断された場合は、そのままこのルーチンを一旦終了する。それとは反対に走行モードの切り替え要求があることによりステップＳ１で肯定的に判断された場合は、解放するクラッチ機構に作用するトルクを低減させるトルク低減制御を実行する（ステップＳ２）。このステップＳ２は、上述したように第１モータ３のトルクを制御することにより実行可能である。より具体的には、直結モードからHV-Loモードへの切り替え時には、第２クラッチ機構CL2が、ステップＳ２で対象とする解放するクラッチ機構に相当し、その第２クラッチ機構CL2に作用するトルクは、第１モータ３からトルクを出力することにより実行可能である。その際、第２クラッチ機構CL2に作用するトルクを急激に低下させると、ショックが生じる可能性があるため、予め定められた変化率で第２クラッチ機構CL2に作用するトルクを低下させる。なお、以下の説明では、便宜上、直結モードからHV-Loモードへの切り替え、すなわち、第２クラッチ機構CL2を解放させる場合について説明する。
【００３３】
第２クラッチ機構CL2に作用するトルクを低減させるトルク低減制御を実行した後に、第３回転部材３２を第２回転部材３１から離隔させるための荷重（抜き力）を第１所定荷重に設定して、第２アクチュエータ３４から出力する（ステップＳ３）。この第１所定荷重は、第２クラッチ機構CL2を解放した時点で車両１にショックが生じない程度まで、第２クラッチ機構CL2に作用するトルクが低下した時点での第２クラッチ機構CL2のそれぞれの噛み合い歯に作用する摩擦力と、同一の値に定められている。また、ステップＳ３は、例えば、第２クラッチ機構CL2を解放した時点で車両１にショックが生じない程度まで、第２クラッチ機構CL2に作用するトルクが低下する時間を、第１モータ３のトルクの変化率などから求め、その求められた時間から余裕代分の時間を減算した設定時間が、第１モータ３のトルクを変更させ始めてから経過した時点で、実行するように構成されていてもよい。これは、第２アクチュエータ３４から長期間に亘って第３回転部材３２を第２回転部材３１から離隔させる荷重を発生させることに伴うエネルギー損失を抑制するためである。
【００３４】
上述したように第２クラッチ機構CL2に作用するトルクを低下させつつ、第３回転部材３２が第２回転部材３１から離隔する荷重を作用させることにより、第２クラッチ機構CL2のそれぞれの噛み合い歯に作用する摩擦力が、第３回転部材３２を第２回転部材３１から離隔させる荷重以下となった時点で、第３回転部材３２が第２回転部材３１から離隔し始める。したがって、ステップＳ３についで、第２クラッチ機構CL2の噛み合い長さが減少したか否かを判断する（ステップＳ４）。このステップＳ４は、第３回転部材３２のストローク量を検出するセンサなどの検出値に基づいて判断することができる。
【００３５】
第２クラッチ機構CL2の噛み合い長さが減少していないことによりステップＳ４で否定的に判断された場合は、第２クラッチ機構CL2の噛み合い長さが減少するまでステップＳ４を繰り返し実行する。それとは反対に、第２クラッチ機構CL2の噛み合い長さが減少したことによりステップＳ４で肯定的に判断された場合は、トルク低減制御を停止し（ステップＳ５）、第２クラッチ機構CL2が解放したか否かを判断する（ステップＳ６）。このステップＳ６は、ステップＳ４と同様に、第３回転部材３２のストローク量を検出するセンサなどの検出値に基づいて判断することができる。または、第２クラッチ機構CL2が解放されることにより、第１モータ３などの回転数が変動するため、第１モータ３の回転数を検出するセンサや、エンジン回転数を検出するセンサなどの検出値が変動したか否かなどに基づいて判断することができる。
【００３６】
第２クラッチ機構CL2が解放していないことによりステップＳ６で否定的に判断された場合は、第２クラッチ機構CL2が解放されるまで、ステップＳ６を繰り返し実行する。すなわち、第２クラッチ機構CL2が解放されるまで、第２クラッチ機構CL2に作用するトルクを一定に保つとともに、第２アクチュエータ３４から一定の第１所定荷重を出力し続ける。それとは反対に、第２クラッチ機構CL2が解放したことによりステップＳ６で肯定的に判断された場合は、第３回転部材３２を第２回転部材３１から離隔させるための荷重を「０」に設定して（ステップＳ７）、このルーチンを一旦終了する。
【００３７】
図５は、第２クラッチ機構CL2を解放させる際における第２クラッチ機構CL2に作用するトルク、抜き力、噛み合い長さの変化を説明するためのタイムチャートである。なお、図４に示す制御を実行した場合における変化を実線で示し、第２クラッチ機構CL2に作用するトルクを低減するトルク低減制御を実行し続けた場合における変化を破線で示している。
【００３８】
図５に実線で示すように走行モードの切り替え要求があることにより、第２クラッチ機構CL2に作用するトルクはｔ０時点から比例的に低下させられている。その際には、抜き力は、「０」に維持されており、その結果、噛み合い長さも所定値に維持されている。
【００３９】
ついで、第２クラッチ機構CL2を解放した時点で車両１にショックが生じない程度まで、第２クラッチ機構CL2に作用するトルクが低下する時間から余裕代分の時間を減算した設定時間が経過したｔ１時点から、抜き力が増大させられている。その場合、第２クラッチ機構CL2の各噛み合い歯に作用する摩擦力は、抜き力よりも大きいため、噛み合い長さは所定値に維持されている。
【００４０】
そして、第２クラッチ機構CL2を解放した時点で車両１にショックが生じない程度まで、第２クラッチ機構CL2に作用するトルクが低下したｔ２時点で、抜き力が第２クラッチ機構CL2の各噛み合い歯に作用する摩擦力以上となることにより、噛み合い長さが減少している。その結果、図４の制御例におけるステップＳ４で肯定的に判断されるため、第２クラッチ機構CL2に作用するトルクを低減させるトルク低減制御が停止させられ、第２クラッチ機構CL2に作用するトルクが一定に保たれている。
【００４１】
そのように第２クラッチ機構CL2に作用するトルクが一定に保たれ、かつ抜き力を作用させ続けることにより、抜き力が第２クラッチ機構CL2の各噛み合い歯に作用する摩擦力以上となる状態が維持されるため、噛み合い長さが比例的に減少し、ｔ３時点で第２クラッチ機構CL2が解放される。
【００４２】
一方、図５に破線で示すように、第２クラッチ機構CL2に作用するトルクを低減させるトルク低減制御を実行し続けると、すなわち、第１モータ３のトルクを増大させ続けると、図２および図３に示す構成では、ｔ４時点で第２クラッチ機構CL2の噛み合い方向が反転して、反対側の噛み合い面が接触することにより、その接触面に作用する摩擦力がｔ５時点で抜き力以上となるため、噛み合い長さの減少が停滞し、その結果、第２クラッチ機構CL2を解放できなくなっている。
【００４３】
上述したように噛み合い長さが減少した時点で、第２クラッチ機構CL2に作用するトルクを一定に保ち、かつ抜き力を作用させ続けることにより、第２クラッチ機構CL2の解放時に第２クラッチ機構CL2に作用するトルクを一定に保てるため、その解放に伴うショックのバラツキを抑制できる。また、第２クラッチ機構CL2が解放し始めてから、すなわち噛み合い長さが減少し始めてからは、抜き力から摩擦力を減算した第３回転部材３２に作用する荷重を一定に保つことができるため、第２クラッチ機構CL2が解放するまでの時間のバラツキを抑制できる。
【００４４】
この発明の実施形態における制御装置は、解放するクラッチ機構に作用するトルクがほぼ一定の間に、そのクラッチ機構を解放することができればよい。そのため、上述した制御例では、解放するクラッチ機構に作用するトルクを一定に保って、クラッチ機構を解放させるように構成しているが、解放するクラッチ機構に作用するトルクの変動幅が少ないうちにクラッチ機構を解放させるように構成してもよい。
【００４５】
その制御例を図６に示してある。なお、図４に示す制御例と同一のステップには同一のステップ番号を付してその説明を省略する。図６に示す例では、第２クラッチ機構CL2の噛み合い長さが低下したことによりステップＳ４で肯定的に判断された場合は、図４に示す例とは異なり、第２クラッチ機構CL2に作用するトルクを低減するトルク低減制御を継続したまま、抜き力を第２所定荷重に増大させ（ステップＳ１０）、ステップＳ６に移行する。なお、第２所定荷重は、噛み合い長さが長いほど大きな値に設定することが好ましい。
【００４６】
その制御例を実行して第２クラッチ機構CL2を解放させる際における第２クラッチ機構CL2に作用するトルク、抜き力、噛み合い長さの変化を説明するためのタイムチャートを図７に示してある。図７に示す例では、噛み合い長さが減少し始めたｔ２時点で、抜き力を第２所定荷重に増大させている。その結果、噛み合い長さが急激に減少して、ｔ１０時点で第２クラッチ機構CL2が解放されている。したがって、ｔ２時点からｔ１０時点までの時間が短縮されることにより、第２クラッチ機構CL2に作用するトルクの変化幅が小さくなる。
【００４７】
上述したように制御することにより、第２クラッチ機構CL2に作用するトルクの変化幅が小さいうちに第２クラッチ機構CL2を解放させることができるため、第２クラッチ機構CL2の解放時に第２クラッチ機構CL2に作用するトルクのバラツキを抑制できる。その結果、その解放に伴うショックのバラツキを抑制できる。また、第２クラッチ機構CL2が解放し始めてから、すなわち噛み合い長さが減少し始めてからは、抜き力を大きくすることにより、極短時間で第２クラッチ機構CL2を解放することができ、その時間のバラツキを抑制できる。
【００４８】
また、噛み合い式の係合機構は、解放開始時における噛み合い長さにバラツキがある場合があり、解放するまでの時間や、解放時に作用するトルクの大きさなどにバラツキが生じる可能性がある。そのため、解放開始時に、一旦、噛み合い長さを調整することが好ましい。その制御の一例を図８に示してある。なお、図８に示す例は、噛み合い長さを調整する制御例について説明するためのフローチャートであり、図４や図６に示す制御例と組み合わせてもよい。また、図４や図６と同様のステップについては同一のステップ番号を付してその説明を省略する。
【００４９】
図８に示す例では、トルク低減制御が実行された後でかつ抜き力を第１所定荷重に設定する前に、噛み合い長さが長くなるように所定の挿入力を発生させる（ステップＳ２０）。この挿入力は、第２クラッチ機構CL2に作用するトルクに関わらず、最大噛み合い長さまで挿入可能な荷重に設定してもよく、挿入力を発生させる時点における第２クラッチ機構CL2に作用するトルクに応じた値であってもよい。また、ここでは、噛み合い長さを増大させる方向に荷重を作用させる例を説明しているが、例えば、噛み合い歯の摩擦係数を局部的に大きく形成するなどにより、噛み合い長さを減少させる際における開始位置を定めるための位置決め構造を備えている場合には、ステップＳ２０でその摩擦力以下の抜き力を発生させて、噛み合い長さを調整するように構成してもよい。
【００５０】
図９には、図８に示す制御例を実行して第２クラッチ機構CL2を解放させる際における第２クラッチ機構CL2に作用するトルク、抜き力、噛み合い長さの変化を説明するためのタイムチャートを示している。なお、図９では、図８に示す制御例の効果を説明するためのタイムチャートを示しており、トルク低減制御を停止することや、抜き力を増大させる制御は実行していない。また、図９では、噛み合い長さが比較的長い第１噛み合い長さから単に第２クラッチ機構を解放した例を破線で示し、噛み合い長さが第１噛み合い長さよりも短い第２噛み合い長さから単に第２クラッチ機構を解放した例を一点鎖線で示し、噛み合い長さが第２噛み合い長さである状態から図８に示す制御例を実行して第２クラッチ機構を解放した例を実線で示している。
【００５１】
図９に示す例では、ｔ１時点で挿入力が一時的に増大させた後に、抜き力を発生させている。その結果、ｔ１時点で噛み合い長さが増大するとともに、ｔ２時点までの間は、噛み合い長さが増大した状態が維持されている。そして、ｔ２時点で第２クラッチ機構CL2の噛み合い歯に作用する摩擦力よりも抜き力が大きくなることにより噛み合い長さが減少している。
【００５２】
上述したように制御することにより、噛み合い長さのバラツキがクラッチ機構の解放時間のバラツキに影響することを抑制できる。また、クラッチ機構が解放される時点にクラッチ機構に作用するトルクの大きさにバラツキが生じることを抑制することができ、その結果、クラッチ機構を解放することに伴うショックの大きさのバラツキを抑制することができる。
【００５３】
なお、この発明の実施形態における噛み合い式の係合機構は、図１に示す構成の車両に搭載されたものに限定されず、例えば、エンジンのみを備えたガソリン車や、モータのみを備えた電気自動車などに搭載されていてもよい。また、この係合機構は、従来知られている有段式の変速機構などの種々の変速機構に設けられたものであってもよい。さらに、解放する噛み合い式の係合機構に作用するトルクを低減させる手段は、第１モータのトルク制御によるものに限らず、例えば、他の摩擦クラッチ機構の伝達トルク容量を制御することにより実行してもよい。
【００５４】
さらに、噛み合い式の係合機構は、例えば、係合または解放するように可動する回転部材に、解放側の荷重を常時作用させるリターンスプリングと、係合側に荷重を発生させるアクチュエータとにより構成され、そのアクチュエータの制御量を調整することにより、抜き力や挿入力を制御するように構成してもよい。
【符号の説明】
【００５５】
１…ハイブリッド車両、  ２…エンジン、  ３，４…モータ、  ５…駆動装置、  ６…動力分割機構、  ７…分割部、  ８…変速部、  ９，１５…サンギヤ、  １０，１６，２４…リングギヤ、  １２，１８…キャリヤ、  １３…出力軸、  １４…入力軸、  ２０…カウンタシャフト、  ２７…ドライブシャフト、  ２８Ｒ，２８Ｌ…前輪、  ２９…ECU（電子制御装置）、  CL1，CL2…クラッチ機構、  ３０，３１，３２…回転部材、  ３０ａ，３１ａ，３１ｂ，３２ａ…噛み合い歯、  ３３，３４…アクチュエータ。
【図１】
2020056485.tif 000003
【図２】
2020056485.tif 000004
【図３】
2020056485.tif 000005
【図４】
2020056485.tif 000006
【図５】
2020056485.tif 000007
【図６】
2020056485.tif 000008
【図７】
2020056485.tif 000009
【図８】
2020056485.tif 000010
【図９】
2020056485.tif 000011